(57)【特許請求の範囲】
【請求項１】
基板上に線状に配設された複数のＬＥＤ素子と、
略角筒状の形状を有し、該角筒状の第１側面を前記ＬＥＤ素子に対向させて、前記基板を内部に収容する透光性チューブとを有するＬＥＤ照明装置であって、
前記透光性チューブは、
前記ＬＥＤ素子に対向する前記第１側面が透明であり、
前記第１側面に連なる前記角筒状の第１および第２稜部分が半透明または不透明である、
ＬＥＤ照明装置。
【請求項２】
基板上に線状に配設された複数のＬＥＤ素子と、
略角筒状の形状を有し、該角筒状の第１側面を前記ＬＥＤ素子に対向させて、前記基板を内部に収容する透光性チューブとを有するＬＥＤ照明装置であって、
前記透光性チューブは、
前記ＬＥＤ素子に対向する前記第１側面が透明であり、
前記第１側面に連なる前記角筒状の第１および第２稜部分に拡散剤が添加されていることを特徴とする、
ＬＥＤ照明装置。
【請求項３】
前記透光性チューブは、断面が略長方形の略四角筒状の形状を有する、
請求項１または２に記載のＬＥＤ照明装置。
【請求項４】
前記ＬＥＤ照明装置は、前記ＬＥＤ素子の発光面と前記透光性チューブの第１側面の間に、ＬＥＤ素子からの光を集光する集光部材をさらに有する、
請求項１〜３のいずれか一項に記載のＬＥＤ照明装置。
【請求項５】
前記透光性チューブは、前記集光部材を固定するための突条を内面に有する、
請求項４に記載のＬＥＤ照明装置。
【請求項６】
前記第１側面および前記集光部材の表面のうち、ＬＥＤ素子からの光が通過するいずれかの面に微小な凹凸が形成されている、
請求項４または５に記載のＬＥＤ照明装置。
【請求項７】
前記ＬＥＤ照明装置は、前記透光性チューブを収容する外部筐体をさらに有し、
前記透光性チューブは、前記第１および第２稜部分に対して前記第１側面とは反対側の側面に、前記外部筐体に固定するための張出し部を外面に有する、
請求項１〜６のいずれか一項に記載のＬＥＤ照明装置。
【請求項８】
前記透光性チューブが熱可塑性樹脂からなる、
請求項１〜７のいずれか一項に記載のＬＥＤ照明装置。
【請求項９】
前記熱可塑性樹脂がポリメタクリル酸メチル樹脂を主成分とする、
請求項８に記載のＬＥＤ照明装置。
【請求項１０】
前記透光性チューブが押出成形により成形された押出成形体である、
請求項８または９に記載のＬＥＤ照明装置。
【請求項１１】
前記第１および第２稜部分が、前記第１側面から連続する透明相と、半透明または不透明相との多層によって構成される、
請求項１〜１０のいずれか一項に記載のＬＥＤ照明装置。
【請求項１２】
前記複数のＬＥＤ素子は、前記基板上に１列に線状に配設される、
請求項１〜１１のいずれか一項に記載のＬＥＤ照明装置。
【請求項１３】
前記透光性チューブは、
前記第１側面の全光線透過率が６０％以上、ヘーズ率が１０％以下であり、
前記第１および第２稜部分の全光線透過率が２０％以上、ヘーズ率が２０％以上である、
請求項１〜１２のいずれか一項に記載のＬＥＤ照明装置。
【請求項１４】
略角筒状の形状を有し、該角筒状の第１側面が透明であり、
前記第１側面に連なる前記角筒状の第１および第２稜部分が半透明または不透明であり、
内部にＬＥＤ素子を収容し、前記第１側面を該ＬＥＤ素子に対向させて配置されることが予定される、
ＬＥＤ照明装置用透光性チューブ。
【発明の詳細な説明】
【技術分野】
【０００１】
本発明は、ＬＥＤ照明装置、およびＬＥＤ照明装置に用いられる透光性チューブに関する。
【背景技術】
【０００２】
ＬＥＤ照明装置は、従来の蛍光灯や白熱灯に比べて、消費電力が少ない、寿命が長いといったメリットがあり、近年様々な用途で使用されている。ＬＥＤ照明装置においては、ＬＥＤ素子（以下、単にＬＥＤともいう）が配設された基板や電気回路を保護するために、基板の前面を覆う透光性カバーや、基板全体を内部に収容する透光性チューブが設けられる。
【０００３】
ＬＥＤから出射する光は、カバー、チューブ等の透光性部材を透過して外部に照射されるため、これらの透光性部材は用途に応じて透明、乳白色等の半透明または不透明のものが用いられる。照明の輝度を高くすることや、間接照明用などで光を遠くまで照射することが求められる場合は、ＬＥＤからの光が拡散しないように、透明な透光性部材が用いられる。また、光をより遠くまで照射するために、ＬＥＤと透光性部材の間に、ＬＥＤからの光を集光するためのレンズ等が用いられることがある。
【０００４】
上記の透光性部材として透明なものを用いる場合、その断面形状によって透過光の屈折方向が乱され、装置から光が出射する方向によって光強度の大小が生じることがある。その結果、特定の方向への出射光強度が落ち込むと、照明によって照らされる照射面に黒い影の筋が生じることがあった。特許文献１には、ＬＥＤの前面に透明なカバーを設けたＬＥＤ照明装置において、カバーの押出成形時の幅方向の厚みむらに起因して影の筋が生じることへの対策として、カバーとＬＥＤの距離を適切に規定することが記載されている。
【先行技術文献】
【特許文献】
【０００５】
【特許文献１】特開２０１１−１３８７１５号公報
【発明の概要】
【発明が解決しようとする課題】
【０００６】
しかしながら、特許文献１に記載されたＬＥＤ照明装置がカバーの微小な厚みむらによる影の筋の防止に有効であるとしても、カバーの形状自体に起因するより大きな散乱に対しては効果が得られない。例えば、カバーが鋭利なまたは曲率の大きなＲ形状の角を有する場合、その角を透過した光は屈折により散乱する。その結果、ＬＥＤ照明装置から出射する光の強度が特定の方向で小さくなり、照射面に黒い影の筋が生じることがあった。
【０００７】
本発明は、以上を考慮してなされたものであり、高い輝度および長い照射距離を確保しながら、照射面での影の筋の発生を防止することが可能な、ＬＥＤ照明装置および透光性チューブを提供することを目的とする。
【課題を解決するための手段】
【０００８】
上記課題に対して、本発明は、光の主な透過面を透明にし、チューブの角部を半透明または不透明とする。
【０００９】
本発明のＬＥＤ照明装置は、基板上に線状に配設された複数のＬＥＤ素子と、略角筒状の形状を有し、該角筒状の第１側面を前記ＬＥＤ素子に対向させて、前記基板を内部に収容する透光性チューブとを有する。そして、前記透光性チューブは、前記ＬＥＤ素子に対向する第１側面が透明であり、前記第１側面に連なる前記角筒状の第１および第２稜部分が半透明または不透明である。
【００１０】
ここで、第１側面がＬＥＤ素子に対向するとは、第１側面がＬＥＤの発光面に相対することをいい、ＬＥＤから発する光束の中心線である光軸は第１側面を貫通する。
【００１１】
このような構成により、ＬＥＤから出射した光の大部分は、透明な第１側面を通過するため、輝度が高く、光を遠くまで照射することが可能となる。また、第１および第２稜部分が半透明または不透明であるため、ＬＥＤ素子からの光は、稜部分を透過する際に拡散され、照射面に影の筋が生じることがない。
【００１２】
本発明の他のＬＥＤ照明装置は、基板上に線状に配設された複数のＬＥＤ素子と、略角筒状の形状を有し、該角筒状の第１側面を前記ＬＥＤ素子に対向させて、前記基板を内部に収容する透光性チューブとを有する。そして、前記透光性チューブは、前記ＬＥＤ素子に対向する前記第１側面が透明であり、前記第１側面に連なる前記角筒状の第１および第２稜部分に拡散剤が添加されていることを特徴とする。
【００１３】
このような構成により、ＬＥＤから出射した光の大部分は、透明な第１側面を通過するため、輝度が高く、光を遠くまで照射することが可能となる。また、第１および第２稜部分に拡散剤が添加されているため、ＬＥＤ素子からの光は、稜部分を透過する際に拡散され、照射面に影の筋が生じることがない。
【００１４】
好ましくは、前記透光性チューブは、断面が略長方形の略四角筒状の形状を有する。
【００１５】
好ましくは、前記ＬＥＤ照明装置は、前記ＬＥＤ素子の発光面と前記透光性チューブの第１側面の間に、ＬＥＤ素子からの光を集光する集光部材をさらに有する。
【００１６】
これにより、光をより遠くまで照射することができる。さらに、ＬＥＤ素子からの光を集光すると、チューブ形状による透過光の散乱の影響がより大きくなり、照射面に影の筋がより生じやすくなるので、本発明の効果が大きい。
【００１７】
また、集光部材を設ける場合は、好ましくは、前記透光性チューブは、前記集光部材を固定するための突条を内面に有する。
【００１８】
好ましくは、前記ＬＥＤ照明装置は、前記透光性チューブを収容する外部筐体をさらに有し、前記透光性チューブは、前記第１および第２稜部分に対して前記第１側面とは反対側の側面に、前記外部筐体に固定するための張出し部を外面に有する。
【００１９】
好ましくは、前記透光性チューブが熱可塑性樹脂からなる。より好ましくは、前記熱可塑性樹脂がポリメタクリル酸メチル樹脂を主成分とする。さらに好ましくは、これら熱可塑性樹脂からなる前記透光性チューブが押出成形により成形された押出成形体である。
【００２０】
これらの材料または製造方法を採用することにより、本発明の構成をより容易に実現することができる。
【００２１】
好ましくは、前記第１および第２稜部分が、前記第１側面から連続する透明相と、半透明または不透明相との多層によって構成される。
【００２２】
これにより、積層する半透明または不透明相の厚さによって、稜部分の拡散性を容易に制御することができる。さらに、透光性チューブが押出成形体である場合には、透明相および半透明・不透明相を一体押出成形することにより、容易に製造することができる。
【００２３】
また、前記複数のＬＥＤ素子は、基板上に１列に線状に配設されていてもよい。
【００２４】
このような場合には、照射面に影の筋がより生じやすいので、本発明の効果がより顕著に得られる。
【００２５】
好ましくは、前記透光性チューブおよび前記集光部材の表面のうち、ＬＥＤ素子からの光が通過するいずれかの面に微小な凹凸が形成されている。
【００２６】
ＬＥＤ照明装置が集光部材を有する場合は、カバーの微小な厚みむらによっても照射面に影の筋が生じやすくなる。光が通過するいずれかの面に微小な凹凸を形成することによって影の筋の発生を防止することができる。
【００２７】
好ましくは、前記透光性チューブは、前記第１側面の全光線透過率が６０％以上、ヘーズ率が１０％以下であり、前記第１および第２稜部分の全光線透過率が２０％以上、ヘーズ率が２０％以上である。
【００２８】
ここで全光線透過率は、ＪＩＳＫ７３６１−１：１９９７によって測定する値である。また、ヘーズは、ＪＩＳＫ７１３６：２０００によって測定する値である。
【００２９】
本発明のＬＥＤ照明装置用カバーは、略角筒状の形状を有し、該角筒状の第１側面が透明であり、前記第１側面に連なる前記角筒状の第１および第２稜部分が半透明または不透明であり、内部にＬＥＤ素子を収容し、前記第１側面を該ＬＥＤ素子に対向させて配置されることが予定される。
【００３０】
このような構成のカバーを用いることによって、輝度が高く、照射面に影の筋が生じることがないＬＥＤ照明装置を得ることができる。
【発明の効果】
【００３１】
本発明のＬＥＤ照明装置またはＬＥＤ照明装置用カバーによれば、高い輝度および長い照射距離を確保しながら、照射面での影の筋の発生を防止することができる。
【図面の簡単な説明】
【００３２】
【図１】本発明の一実施形態のＬＥＤ照明装置の断面図である。
【図２】図１の一部拡大断面図である。
【図３】本発明の一実施形態のＬＥＤ照明装置の全体斜視図である。
【図４】本発明の一実施形態のＬＥＤ照明装置のＬＥＤ基板の斜視図である。
【図５】本発明の効果を説明するための図である。
【発明を実施するための形態】
【００３３】
本発明のＬＥＤ照明装置の実施形態を図に基づいて説明する。
【００３４】
図１において、本実施形態のＬＥＤ照明装置１０は、ＬＥＤ２２が配設された基板２０と集光部材４０とを有し、基板および集光部材は透光性チューブ３０の内部に収容されている。透光性チューブはさらに金属製の筐体５０に収容されている。
【００３５】
ＬＥＤ照明装置１０の全体は、図３に示すように、細長く棒状に構成されている。ＬＥＤ照明装置の大きさは特に限定されないが、透光性チューブ３０の光が透過する部分の幅が１５〜８０ｍｍであることが好ましく、２０〜５０ｍｍであることがより好ましい。このような寸法では、照射面に影の筋が生じやすく、本発明による効果が大きいからである。ＬＥＤ照明装置の長さは、典型的には３００〜１５００ｍｍである。
【００３６】
基板２０は、図４に示すように、その片面に電気回路部２１を介してＬＥＤ２２が直線状に１列に配設されている。基板２０は、強度や放熱性の点から、アルミニウム、銅等の金属板や熱伝導性樹脂板が好ましく用いられる。基板の形状は特に限定されず、例えば平板や断面がコの字状であってもよい。本実施形態の基板２０では、裏面に放熱を促進するためのフィンが設けられ、長手方向に垂直な断面が櫛状に形成されている。裏面とは、ＬＥＤ素子を配設した面とは反対側の面のことである。基板２０の厚みは通常０．４〜３．２ｍｍである。
【００３７】
電気回路部２１は、ＬＥＤに電圧を供給するための配線回路であり、一般的なプリント基板やフレキシブルプリント基板を用いることができる。
【００３８】
電気回路部２１上には、ＬＥＤ２２が直線状に、所定の間隔をあけて１列に配設されている。ＬＥＤの数と間隔は、必要な明るさ等に応じて適宜決定することができる。
【００３９】
図１において、外部筐体５０の材料および構造は特に限定されない。好適には、放熱性や加工性に優れるアルミ、スチール、ステンレススチール等の金属によって構成することができる。
【００４０】
図１において、ＬＥＤ２２の発光面側（図の上側）には、ＬＥＤからの光を集光する集光部材４０が設けられている。本実施形態の集光部材４０はレンズであり、照明装置１０の長手方向に垂直な断面における光の広がり（照射角度、ビーム角）が小さくなるように、ＬＥＤ２２から出た光を集光する。
【００４１】
集光部材４０の材質は、透明性の高いものが好ましく、光学ガラス、各種樹脂等を用いることができる。樹脂の例としては、ポリメタクリル酸メチル（ＰＭＭＡ）等のアクリル酸エステル樹脂；ポリメタクリルスチレン（ＭＳ）等のメチルメタクリレート・スチレンの共重合樹脂；シクロオレフィンポリマー、シクロオレフィンコポリマー等のシクロオレフィン系樹脂などが挙げられる。中でも、透明性の点から、ＰＭＭＡ樹脂を用いることが好ましい。
【００４２】
透光性チューブ３０は、基板２０、電気回路部２１、ＬＥＤ２２、集光部材４０を内部に収容して保護する。チューブ形状の透光性部材を用い、電気系統を内部に収容することにより、照明装置に防水性を持たせることが容易となる。これにより、屋外で使用可能なＬＥＤ照明装置の設計が容易となる。
【００４３】
透光性チューブ３０は、断面が略長方形の略四角筒状に一体成形されている。その略四角筒状の第１側面３１は透明であり、ＬＥＤ２２および集光部材４０に対向して設けられている。すなわち、第１側面がＬＥＤの発光面に相対し、ＬＥＤが発する光の強度が最大となる光軸２３が第１側面を貫通している。これにより、ＬＥＤからの光の大部分は集光部材４０で集光されて、第１側面を透過して外部に照射される。第１側面が透明な材質で構成されることによって、透過光が拡散によって発散せず、光をより遠くまで照射することが可能となる。
【００４４】
第１側面に連なる前記角筒状の第１および第２稜部分３２、３３は半透明または不透明である。第１および第２稜が第１側面と同じく透明に形成されていると、ＬＥＤ２２からの透過光は屈折により散乱し、照明装置１０から光が出射する方向によって光強度の大小を生じ、照射面に影の筋が生じることになる。本実施形態では第１および第２稜が半透明または不透明であるため、透過光が拡散されるので、照射面に影の筋が生じない。
【００４５】
図２において、第１側面３１は１つの透明相３６で構成されている。そして、第２稜部分３３は、第１側面３１と連続する透明相３６と、半透明または不透明相３７とが積層されて構成されている。第１稜部分３２も同様に構成されている。本実施形態では、この透明相３６は、透光性チューブ３０の全周にわたって連続しており、第１および第２稜部分に半透明または不透明相３７が積層されている。
【００４６】
図１において、透光性チューブ３０の外面には、第１および第２稜部分３２、３３に対して第１側面３１とは反対側の側面に、第１および第２稜部分にそれぞれ近接して、外部筐体５０に固定するための２つの張出し部３４が形成されている。また、透光性チューブ３０の内面には、集光部材４０を固定するための２つの突条３５が形成されている。
【００４７】
透光性チューブ３０を構成する材料には、透光性である種々の材料を用いることができるが、製造の容易さ、コストの点から、熱可塑性樹脂を用いることが好ましい。例えば、ポリメタクリル酸メチル等のアクリル酸エステル樹脂；ポリカーボネート；アクリルニトリル・スチレン共重合樹脂、ポリスチレン、メチルメタクリレート・スチレン共重合樹脂、透明アクリルニトリル・ブタジエン・スチレン共重合樹脂等のスチレン系樹脂；シクロオレフィンポリマー、シクロオレフィンコポリマー等のシクロオレフィン系樹脂等を用いることができる。なかでも、透明性や耐衝撃性に優れることから、ポリメタクリル酸メチル（ＰＭＭＡ）樹脂を用いることがより好ましい。
【００４８】
また、第１側面３１を構成する透明相３６と第１および第２稜部分３２、３３の一部を構成する半透明または不透明相３７には、異なる材料を用いてもよいし、同じ材料を用いて、光拡散剤の添加等によって拡散性を調整してもよい。例えば、透明相３６にＰＭＭＡ樹脂を用い、半透明または不透明相３７に、同じＰＭＭＡ樹脂に光拡散剤を添加したものを用いてもよい。光拡散剤は、透過する光を拡散させ得る材料であり、例えば、シリカ、アルミナ、酸化チタン、炭酸カルシウム等の無機微粒子、ポリメチルメタアクリル酸エステル、ポリカーボネート、ポリスチレン等の有機微粒子等が挙げられる。光拡散剤の平均一次粒径は０．１〜１００μｍが好適である。
【００４９】
透光性チューブ３０の透光性の程度は、部材の全光線透過率によって評価することができる。全光線透過率は、ＪＩＳＫ７３６１−１：１９９７によって測定することができる。また、透明性または拡散性の程度は、部材のヘーズ率によって評価することができる。ヘーズ率は、ＪＩＳＫ７１３６：２０００によって測定することができる。当該ＪＩＳにおいて、ヘーズ率とは、試験片を通過する透過光のうち、前方散乱によって、入射光から２．５度以上それた透過光の百分率と定義されている。
【００５０】
なお、全光線透過率およびヘーズ率の測定には平板状の試料が必要である。実際の透光性カバーから平板状の試料を切り出すことができない場合は、試料を加熱・プレス等によって平板状に変形するか、同一の材料・相構成の平板を別途作製して測定すればよい。
【００５１】
透光性カバー３０の第１側面３１の全光線透過率は、好ましくは６０％以上、より好ましくは８０％以上、特に好ましくは９０％以上である。全光線透過率が小さいと、ＬＥＤから出射される光の利用効率が下がるし、材料による吸収が大きいとＬＥＤ照明装置が熱くなるからである。なお、全光線反射率は部材の屈折率に依存するが、例えばＰＭＭＡの場合には約８％であるので、全光線透過率は、通常最大でも約９２％である。
【００５２】
また、第１側面３１は透明であり、そのヘーズ率は、好ましくは１０％以下、より好ましくは５％以下、特に好ましくは１％以下である。照明装置１０に求められる輝度と照射距離を確保するためである。
【００５３】
透光性カバー３０の第１および第２稜部分３２、３３の全光線透過率は、好ましくは２０％以上、より好ましくは５０％以上、特に好ましくは８０％以上である。これら稜部分についても全光線透過率は大きい方が好ましい。しかし、第１および第２稜部分は拡散性を有するため、後方散乱によって反射が、材料内を通過する光の経路が長くなることによって吸収が増えるため、全光線透過率は第１側面のそれよりもどうしても小さくなる。また、ＬＥＤ２２から第１および第２稜部分に照射される光量は第１側面のそれよりも小さいため、全光線透過率が小さくなることの悪影響は、第１側面よりも軽微である。
【００５４】
また、第１および第２稜部分３２、３３は半透明または不透明であり、そのヘーズ率は、好ましくは２０％以上、より好ましくは４０％以上、特に好ましくは７０％以上である。なお、本実施形態では、図２に示すとおり、積層された半透明または不透明相３７の厚さが一定ではない。このような場合は、第１および第２稜部分のヘーズ率は、その最大値が上記範囲にあればよい。
【００５５】
第１側面３１および集光部材４０の表面のうち、ＬＥＤからの光が通過する少なくとも１つの面には、しぼ加工などにより、微小な凹凸が形成されていることが好ましい。例えば、図１においては、第１側面の外表面、内表面、集光部材の上面４１等に微小凹凸を形成することができる。これにより、透光性チューブ３０の製造精度が悪く、例えば、押出成形時の幅方向の厚みむらがある場合でも、その厚みむらに起因する照射面への影の筋の発生を防止することができる。なお、このように微小な凹凸を形成する場合も、それによって透明性が失われないこと、すなわち光が拡散されないことが重要である。
【００５６】
透光性チューブ３０の製造方法は特に限定されないが、材料として熱可塑性樹脂を用いる場合は、押出成形によって製造することが好ましい。押出成形によれば、長手方向（押出方向）に断面形状がほぼ同一な細長い成形体を容易に製造することができるからである。また、押出成形によれば、異なる組成の材料からなる透明相３６および半透明または不透明相３７を、１回の一体押出成形で成形可能であり、両相の密着性が優れる点でも好ましい。この一体押出成形法は、各相を形成する樹脂のそれぞれを溶融・混練して押し出し、押し出された複数の樹脂を１つのダイス内で一体化させる方法である。
【００５７】
集光部材４０の製造方法は、射出成形、押出成形、削り出し等、特に限定されない。
【００５８】
ここで、本実施形態のＬＥＤ照明の効果をまとめると、次のとおりである。
【００５９】
図５はＬＥＤ照明装置の前方に斜めに広がる照射面６０に到達する光束（光強度）の分布を示したものである。まず、図５Ａに示すように、ＬＥＤ照明装置１１の透光性チューブ３８の全体が透明である場合は、第２稜部分３９を透過した光が屈折によって乱され、照射面上の光束の分布グラフに明瞭な谷６１が生じ、この位置に影の筋が生じる。ＬＥＤは、厳密には面発光素子であるが、素子が小さく点光源に近いため、従来の蛍光灯や白熱灯よりもこのような現象が起こりやすい。これに対して、図５Ｂに示す本実施形態のＬＥＤ照明装置１０では、第２稜３３を透過した光が拡散し、光束の分布グラフの谷をなだらかにし、照射面６０上に影の筋が生じることがない。
【００６０】
このような影の筋は、透光性チューブの形状も含めたＬＥＤ照明装置全体の設計により回避することができる。しかしながら、入念な設計を行ったとしても、実際には、透光性チューブの製造精度や予期せぬ迷光によって、影の筋が発生することがある。したがって、本実施形態のように透光性チューブの第１および第２稜部分に拡散性を持たせることによって、ＬＥＤ照明装置の設計や透光性チューブの製造がより容易になるというメリットも得られる。なお、透光性チューブ全体を半透明または不透明にすると、ＬＥＤ照明装置の輝度が下がり、照射距離が短くなるので、本発明の課題を達成することができない。
【００６１】
本発明は、上記の実施形態や実施例に限られるものではなく、その技術的思想の範囲内で種々の変形が可能である。
【００６２】
例えば、複数のＬＥＤが線状に配設されるとは、ＬＥＤが直線上に位置する場合には限られず、ＬＥＤが波線上や円弧等の曲線上に位置してもよい。
【００６３】
例えば、ＬＥＤは２列以上に配設されていてもよい。ＬＥＤが２列以上に配設された場合は、長手方向に垂直な断面において光源が２か所以上に分散するため、照射面での影の筋は比較的発生しにくくなるが、本発明が適用されることは妨げられない。
【００６４】
また、透光性チューブの形状は厳密な多角筒形には限られず略多角筒状であればよく、例えば、各側面が滑らかな曲面であってもよい。
【００６５】
また、第１および第２稜部分の構造は、透明相と半透明または不透明相の２層構成には限られず、半透明または不透明相の単層からなっていてもよいし、２層より多くの相が積層されていてもよい。
【符号の説明】
【００６６】
１０、１１  ＬＥＤ照明装置
２０  基板
２１  電気回路部
２２  ＬＥＤ素子
２３  ＬＥＤ素子の光軸
３０、３８  透光性チューブ
３１  第１側面
３２  第１稜部分
３３、３９  第２稜部分
３４  張出し部
３５  突条
３６  透明相
３７  半透明または不透明相
４０  集光部材
４１  集光部材の上面
５０  外部筐体
５２  シール部材
６０  照射面
６１  光束分布グラフの谷
【図１】
0006348810.tif 000002
【図２】
0006348810.tif 000003
【図３】
0006348810.tif 000004
【図４】
0006348810.tif 000005
【図５】
0006348810.tif 000006